(57)【特許請求の範囲】
【請求項１】
周囲照度レベルを検出する照度センサと、前記照度センサの検出結果に応じて光源の出力を制御する制御部とを備える照明装置において、
前記制御部は、前記周囲照度レベルが点灯レベルを上回ると前記光源を消灯し前記点灯レベルを下回ると点灯するものであり、前記周囲照度レベルが前記点灯レベル以下に設定された所定値を下回った時から一定時間、前記照度センサの検出結果の入力を禁止するものであるとともに、前記一定時間は、前日の夜間の時間より多少短めとして設定することを特徴とする照明装置。
【請求項２】
人体の有無を検出する人感センサを設けたことを特徴とする請求項１記載の照明装置。
【発明の詳細な説明】
【０００１】
【発明の属する利用分野】
本発明は照明装置に関するものであり、更に詳しくは、屋外・屋側など昼夜での外光の変化がある空間に設置する照明装置に関する。
【０００２】
【従来の技術】
従来、周囲照度を検出する照度センサを用い、図９に示す様に、昼から夜になり周囲照度が点灯レベルを下回ると光源を点灯させる照明装置がある。
【０００３】
【発明が解決しようとする課題】
しかし、この様な照明装置の場合、図１０に示す様に、一旦、周囲照度が点灯レベルを下回ることで光源を点灯し、その後、車のヘッドライトが当たるなどの影響を受けて周囲照度が上昇して点灯レベルを上回ると、図１０のＡに示す様に再消灯してしまい、照明装置が誤動作したとして周囲の人に違和感を与えてしまう、という問題点が生じてしまう。
【０００４】
本発明は、前記問題点に鑑みてなされたものであり、その目的とするところは、周囲照度が低下した際に誤動作なく光源を制御することが可能な照明装置を提供することである。
【０００５】
【課題を解決するための手段】
前記問題点を解決するために、請求項１記載の発明によれば、周囲照度レベルを検出する照度センサと、前記照度センサの検出結果に応じて光源の出力を制御する制御部とを備え、制御部は、周囲照度レベルが点灯レベルを上回ると光源を消灯し点灯レベルを下回ると点灯するものであり、周囲照度レベルが点灯レベル以下に設定された所定値を下回った時から一定時間、照度センサの検出結果の入力を禁止するものであるとともに、前記一定時間は、前日の夜間の時間より多少短めとして設定することを特徴とする。
【００１０】
請求項２記載の発明によれば、人体の有無を検出する人感センサを設けたことを特徴とする。
【００１１】
【実施の形態】
（参考である実施の形態１）本発明の参考となる第１の実施の形態のブロック構成図を図１に示す。
【００１２】
図１において、１は照度センサ、３は制御部、４は照明器具、５は点灯装置、６は光源を示す。
【００１３】
照度センサ１はＣｄＳやフォトダイオードとその周辺回路とで構成されており、周囲照度を検出し、その検知レベルを制御部３に知らせるものである。なお、照度センサ１は光源と同一の筐体内に配置されても、該筐体の外部に配置されても構わない。制御部３は、マイコンなどで構成されており、照度センサ１から送信される情報などにより点灯装置５に光源６の点灯情報を送るものである。点灯装置５は、例えば、光源６が白熱電球の場合は位相制御を行い、光源６が蛍光灯の場合は高周波動作を行う等、光源６の種類に応じた制御手段を有するものであれば何でもよい。光源６は、その用途によって何でもよく、灯数なども１灯に限定しなくても構わない。
【００１４】
次に、図２を用いて動作を簡単に説明する。図２に示す点灯レベルを周囲照度が下回ると、昼から夜になったと判断し、光源６が点灯する。さらに周囲照度が低下し、点灯レベルより少し低めの所定値（以下、照度センサ入力禁止レベルと呼ぶ。）を下回ると、下回ってから一定時間ｔ１（以下、照度センサ入力禁止時間ｔ１と呼ぶ）だけ、照度センサ１から制御部３への照度センサ１の検知結果の入力を禁止する。照度センサ１からの検知結果の入力を禁止することにより、例えば、車のヘッドライトが当たるなどの影響を受けて周囲照度が上昇して点灯レベルを上回っても、前記従来例の様に再消灯することがなく、誤動作を防止できる。
【００１５】
ここで、照度センサ１からの検知結果の入力を禁止する手段は、電気的あるいは機械的に禁止するものでもよく、制御部３でのソフト処理によって行うものでもよく、要は、上述の様な誤動作を防止できる手段であれば何でもよい。
【００１６】
更に、本実施の形態では、夜に光源を点灯し昼間に消灯する場合としたが、夜間点灯時に複数の点灯状態（全点灯・調光・点滅など）を切り換える場合や、屋外の看板などの様に昼間に全点灯し夜間は周囲が暗いので調光点灯を行なう場合など、昼夜で点灯条件を任意に設定しても構わない。
【００１７】
更にまた、照度センサ入力禁止時間ｔ１は、図３に示す様に、日没前後の照度のふらつきの対応に重点を置く場合、周囲照度が十分に暗くなる時間帯までで十分であり、周囲照度が照度センサ入力禁止レベルを下回ってから数１０分〜数時間の様に、日没から日の出までの時間よりも短い時間で構わない。
【００１８】
（参考である実施の形態２）本発明の参考となる第２の実施の形態のブロック構成図を図４に、動作波形図を図５に示す。
【００１９】
図１に示す第１の実施の形態と異なる点は、人体の有無を検知する人感センサ２を設けたことであり、その他の第１の実施の形態と同一構成には同一符号を付すことにより説明を省略する。
【００２０】
次に、図５を参照して動作を簡単に説明する。
周囲照度が点灯レベル以上である昼間は人の有無にかかわらず光源６を消灯し、周囲照度が点灯レベルを下回ると人の有無にかかわらず光源６を調光点灯し、該調光点灯状態において、人を検知すると光源６を全点灯する。そして、夜遅くなって人を検知する回数が減ってくると、該調光点灯状態を終了して人を検知した時のみ光源６を点灯する。この様な人を検知した時のみ光源６を点灯する動作モード（以下、深夜モードと呼ぶ。）は、周囲照度が点灯レベルに達するまで（例えば朝まで）継続する。よって、深夜での無駄な点灯を防ぎ、省エネ動作が可能になる。
【００２１】
該調光点灯状態の動作モード（以下、夕方モードと呼ぶ。）では、照度センサ１が周囲照度を検知せずに光源６自身の光を検知しまうことよる誤動作を防止する為に、前記夕方モード動作中は、照度センサ１から制御部３への照度センサ１の検知結果の入力を禁止する。更に、前記深夜モード動作中での誤動作を防止するために、前記深夜モード終了直前まで、照度センサ１から制御部３への照度センサ１の検知結果の入力を禁止する。
【００２２】
ここで、前記深夜モード動作中での誤動作とは、例えば、車のヘッドライトが当たるなどして周囲照度が上昇してしまい、深夜であるにも関わらず昼と誤判定し、誤判定後に再び周囲照度が低下すると、深夜であるにも関わらず前記夕方モードが開始されてしまう、というものである。
【００２３】
周囲照度が点灯レベル以上である昼間の時間をｔｂ、前記夕方モード動作時間をｔｃとすると、前記深夜モード動作中での照度センサ入力禁止時間ｔｍは、
ｔｍ＝２４−ｔｂ−ｔｃ＋α（αは定数であり、例えば数１０分程度）・・・（式１）
とする。この場合、照度センサ入力禁止時間ｔ１＝ｔｃ＋ｔｍ＝２４−ｔｂ＋αとなる。
【００２４】
以上の様に構成することにより、日の出直前まで照度センサ１の入力を禁止することができ、また、日の出少し前に入力禁止を解除しているので、季節変動などによる日の出時刻の変化による誤動作を防ぐことができる。つまり、深夜モード中の外乱光の入射による誤動作を防ぐことができ、高性能の照明装置を提供することができる。なお、時間ｔｃは用途に応じて設定すればよい。
【００２５】
（実施の形態３）
本発明に係る第３の実施の形態の動作波形図を図６に示す。
【００２６】
本実施の形態では、前記第１の実施の形態における照度センサ入力禁止時間ｔ１の設定方法を示すものであり、前日の夜間の長さで翌日の照度センサ入力禁止時間ｔ１を決定する様に構成したことであり、その他の第１の実施の形態と同一構成には同一符号を付すことにより説明を省略する。
【００２７】
つまり、前日の夜間の時間を計測し、前日の夜間の時間より多少短めの時間を翌日の照度センサ入力禁止時間ｔ１として設定することにより、季節変動などで夜間の時間が変化しても誤動作することなく制御することができる。
【００２８】
（参考である実施の形態４）本発明の参考である第４の実施の形態の動作波形図を図７に示す。
【００２９】
本実施の形態では、前記第１の実施の形態における照度センサ入力禁止時間ｔ１の別の設定方法を示すものであり、前記第３の実施の形態と異なる点は、昼の時間で照度センサ入力禁止時間ｔ１を決定する様に構成したことであり、その他の第３の実施の形態と同一構成には同一符号を付すことにより説明を省略する。
【００３０】
つまり、昼の時間ｔｄａｙを計測し、
照度センサ入力禁止時間ｔ１＝２４−ｔｄａｙ＋α（α：数１０分程度）・・・（式２）
として設定することにより、季節変動などで夜間の時間が変化しても誤動作することなく制御することができる。
【００３１】
（参考である実施の形態５）本発明の参考である第５の実施の形態の動作波形図を図８に示す。
【００３２】
本実施の形態は、昼夜が切り替わる時に確実に変化を検出するために明暗判定時間を設けたものである。
【００３３】
明暗判定を行う場合、判定開始を点灯レベルＬにし明暗判定時間を設けると、判定が完了したときには、既に点灯レベルＬより明るくあるいは暗くなってしまう。そこで、明暗判定時間分の変化を考慮して、判定完了時に点灯レベルＬになるように、暗から明へと変化する場合は、明暗判定時間で変化する分だけ点灯レベルＬより低い値Ｌ１を判定開始レベルとして設定する。逆に、明から暗へと変化する場合は、明暗判定時間で変化する分だけ点灯レベルＬより高い値Ｌ２を判定開始レベルとして設定する。
【００３４】
この様に構成することにより、点灯レベル近傍にて確実に明暗を切り替えることができる。なお、明暗判定時間は用途によって任意に設定すればよく（例えば、数１０秒〜数１０分）、値Ｌ１や値Ｌ２も季節・設置場所・明暗判定時間などによって任意に設定すればよい。
【００３５】
【発明の効果】
請求項１に記載の発明によれば、昼から夜になって点灯し、さらに周囲照度が低下した際に、車のヘッドライトが当たるなどの影響を受けて周囲照度が上昇して点灯レベルを上回っても再消灯することがなく、さらに、前日の夜間の時間より多少短めの時間を翌日の照度センサ入力禁止時間として設定することにより，季節変動などによる日の出時刻が変化しても誤動作なく光源を制御することが可能な照明装置を提供できる。
【００３８】
請求項２記載の発明によれば、請求項１記載の発明の効果に加えて、人体の有無の検出結果に基づいたキメ細かな光源の制御が可能な照明装置を提供できる。
【図面の簡単な説明】
【図１】本発明の参考である第１の実施の形態のブロック構成図を示す。
【図２】前記実施の形態に係る動作波形図である。
【図３】前記実施の形態に係る別の動作波形図である。
【図４】本発明の参考である第２の実施の形態のブロック構成図を示す。
【図５】前記実施の形態に係る動作波形図である。
【図６】本発明に係る第３の実施の形態の動作波形図を示す。
【図７】本発明の参考である第４の実施の形態の動作波形図を示す。
【図８】本発明の参考である第５の実施の形態の動作波形図を示す。
【図９】本発明に係る従来例の動作波形図を示す。
【図１０】本発明に係る従来例の別の動作波形図を示す。
【符号の説明】
１      照度センサ
２      人感センサ
３      制御部
６      光源
ｔ１    照度センサ入力禁止時間
【図１】
0003921774.tif 000002
【図２】
0003921774.tif 000003
【図３】
0003921774.tif 000004
【図４】
0003921774.tif 000005
【図５】
0003921774.tif 000006
【図６】
0003921774.tif 000007
【図７】
0003921774.tif 000008
【図８】
0003921774.tif 000009
【図９】
0003921774.tif 000010
【図１０】
0003921774.tif 000011